(57)【要約】  【課題】圧縮機停止中、冷媒流量の多い庫内の蒸発器へ冷媒を流量させず、冷媒流量が少ない庫内の蒸発器への冷媒流量を冷媒流量の多い庫内の蒸発器に溜まっていた分だけ増加させて、冷却時間を短縮し圧縮機の運転率を低減することを目的とする。  【解決手段】外気温特性設定手段１１２は、外気温度検知部１１２ａが検知した外気温度に対応する電磁弁１０２ｂの動作時間を、外気温度特性決定部１１２ｃが外気温特性記憶部１１２ｂより読取り決定することにより、圧縮機１０３停止中、冷媒流量の多い庫内の蒸発器１０１ａへ冷媒を流量させず、冷媒流量が少ない庫内の蒸発器１０１ｂへの冷媒流量を冷媒流量の多い庫内の蒸発器１０１ａに溜まっていた分だけ増加させて、冷却時間を短縮し圧縮機１０３の運転率を低減するための電磁弁動作において、冷媒流量の少ない庫内の電磁弁動作時間を外気温度に従い決定することで電磁弁１０２ｂの通電率を低減することができる。【選択図】図２
2010060144.tif 000002
【特許請求の範囲】
【請求項１】
電磁弁と蒸発器と圧縮機と凝縮器とを含む冷却ユニットを備えた自動販売機において、前記圧縮機停止中に冷媒流量が少ない側の庫内の前記電磁弁を動作させる時間を設定または補正するための電磁弁動作時間設定補正手段を備え、前記電磁弁動作時間設定補正手段は、外気温度、前記冷却ユニットの高圧部と低圧部の温度または圧力に従い前記電磁弁の動作時間を設定または補正することを特徴とする自動販売機の電磁弁制御装置。
【請求項２】
前記電磁弁動作時間設定補正手段を電磁弁動作時間設定手段とし、外気温度、前記冷却ユニットの高圧部と低圧部の温度または高圧部と低圧部の圧力に従い前記電磁弁の動作時間を設定することを特徴とする請求項１に記載の自動販売機の電磁弁制御装置。
【請求項３】
前記電磁弁動作時間設定補正手段を電磁弁動作時間補正手段とし、前記圧縮機停止中、前記電磁弁が所定の時間動作した直後の前記冷却ユニットの高圧部と低圧部の温度または圧力を読取り、これらの温度または圧力が所定の値と異なる場合、前記電磁弁の動作時間を補正することを特徴とする請求項１に記載の自動販売機の電磁弁制御装置。
【請求項４】
前記電磁弁動作時間設定手段を、外気温度検知部と外気温特性記憶部と外気温特性決定部とを備えた外気温特性設定手段とし、前記外気温特性設定手段は、前記外気温度検知部が検知した外気温度に対応する前記電磁弁の動作時間を、前記外気温度特性決定部が前記外気温特性記憶部より読取り決定することを特徴とする請求項２に記載の自動販売機の電磁弁制御装置。
【請求項５】
前記電磁弁動作時間設定手段を、高低圧部温度検知部と高低圧部温度特性記憶部と高低圧部特性決定部とを備えた高低圧部温度特性設定手段とし、前記高低圧部温度特性設定手段は、前記高低圧部温度検知部が検知した前記圧縮機が停止した直後の前記冷却ユニットの高圧部と低圧部の温度に対応する前記電磁弁の動作時間を、前記高低圧部特性決定部が前記高低圧部温度特性記憶部より読取り決定することを特徴とする請求項２に記載の自動販売機の電磁弁制御装置。
【請求項６】
前記電磁弁動作時間設定手段を、高低圧検知部と高低圧特性記憶部と高低圧特性決定部とを備えた高低圧特性設定手段とし、前記高低圧特性設定手段は、前記高低圧検知部が検知した前記圧縮機が停止した直後の前記冷却ユニットの高圧部と低圧部の圧力に対応する前記電磁弁の動作時間を、前記高低圧特性決定部が前記高低圧特性記憶部より読取り決定することを特徴とする請求項２に記載の自動販売機の電磁弁制御装置。
【請求項７】
前記電磁弁動作時間補正手段を、前記高低圧部温度検知部と前記高低圧部温度特性記憶部と高低圧部温度特性補正部とを備えた高低部温度特性補正手段とし、前記高低圧部温度特性補正手段は、前記圧縮機停止中、前記電磁弁が所定の時間動作した直後の前記冷却ユニットの高圧部と低圧部の温度を前記高低圧部温度検知部が読取り、これらの温度が所定の値と異なる場合、前記高低圧部温度特性補正部が前記電磁弁の動作時間を補正することを特徴とする請求項３に記載の自動販売機の電磁弁制御装置。
【請求項８】
前記電磁弁動作時間補正手段を、前記高低圧検知部と前記高低圧特性記憶部と高低圧特性補正部とを備えた高低圧特性補正手段とし、前記高低圧特性補正手段は、前記圧縮機停止中、前記電磁弁が所定の時間動作した直後の前記冷却ユニットの高圧部と低圧部の圧力を前記高低圧検知部が読取り、これらの圧力が所定の値と異なる場合、前記高低圧特性補正部が前記電磁弁の動作時間を補正することを特徴とする請求項３に記載の自動販売機の電磁弁制御装置。
【発明の詳細な説明】
【技術分野】
【０００１】
本発明は自動販売機の電磁弁を制御する電磁弁制御装置に関するものである。
【背景技術】
【０００２】
従来、この種の自動販売機の制御装置は、各蒸発器における過熱度を所定値にするべく各電磁弁を逐次かつ独立的に制御している（例えば、特許文献１参照）。
【０００３】
図６は、特許文献１に記載された従来の自動販売機の電磁弁制御装置を示すものである。図６に示すように、庫内は左庫１Ａ、中庫１Ｂ及び右庫１Ｃの３つの庫に断熱材７を介して区画されている。本実施の形態では、左庫１Ａは年間を通してコールドドリンクを販売する庫として、中庫１Ｂ及び右庫１Ｃは季節に応じてコールドドリンク又はホットドリンクを販売する庫として、それぞれ構成されている。すなわち、左庫１Ａには冷却器としての蒸発器２Ａのみが配置されるのに対して、中庫１Ｂ及び右庫１Ｃにはそれぞれ蒸発器２Ｂ、２Ｃ及び加熱器としてのヒータ１２Ｂ、１２Ｃが配置される。
【０００４】
各庫１Ａ〜１Ｃに配置される蒸発器２Ａ〜２Ｃはそれぞれ庫外に配置されるコンプレッサ（圧縮機）３及び凝縮器４に並列に接続され、各庫１Ａ〜１Ｃ内を冷却する冷凍回路が構成される。凝縮器４と各蒸発器２Ａ〜２Ｃとの間にそれぞれ流量調整手段として電子膨張弁１５Ａ、１５Ｂ及び１５Ｃを設けている。各電子膨張弁１５Ａ〜１５Ｃにはそれぞれパルスモータ（あるいはステッピングモータ）１６Ａ、１６Ｂ及び１６Ｃが設けられ、後述するように制御手段２０から供給されるパルス信号に基づいて駆動されるパルスモータ１６Ａ〜１６Ｃにより電子膨張弁１５Ａ〜１５Ｃの開度が調整される。
【０００５】
各蒸発器２Ａ〜２Ｃの入口及び出口の各配管部分には冷媒の温度を検出するための入口側温度センサ１７Ａ、１７Ｂ、１７Ｃ及び出口側温度センサ１８Ａ、１８Ｂ、１８Ｃがそれぞれ設置されている。これらの温度センサ１７Ａ〜１７Ｃ及び１８Ａ〜１８Ｃの出力は制御手段２０に供給され、蒸発器の出入口における冷媒の温度差、すなわち過熱度が各蒸発器２Ａ〜２Ｃごとに算出される。
【０００６】
以上のように構成された電磁弁の制御装置について、以下その動作を説明する。
【０００７】
図７において、コンプレッサ３の起動後、まず各電子膨張弁１５Ａ〜１５Ｃの開度をそれぞれ所定の開度に固定した状態で各蒸発器２Ａ〜２Ｃに冷媒を供給する第１ステップが行われる（ステップＳ１）。このとき各電子膨張弁１５Ａ〜１５Ｃの開度は、全電子膨張弁の開度の合計に対してそれぞれ所定の開度比に固定され、これらの開度の合計が凝縮器４の出口における冷媒温度に基づいて決定される。この冷媒温度は、凝縮器４の出口側配管部分に設置される温度センサ１９により検出される。
【０００８】
上述した各電子膨張弁１５Ａ〜１５Ｃの所定の開度比は、予め算出しておいた各蒸発器２Ａ〜２Ｃの冷凍能力の理想シミュレーション結果によって定められる。これは、庫内の容積、収容される商品の数、形状、大きさ等から蒸発器の形態が決定される実情を考慮したものである。また、電子膨張弁１５Ａ〜１５Ｃの開度の合計は、凝縮器４の出口における冷媒温度の関数として決定される。傾向としては、凝縮器４の出口温度が高い（庫外温度及び冷媒圧力が高い）と開度合計を小さくし、逆に出口温度が低い（庫外温度及び冷媒圧力が低い）と開度合計を大きくする。
【０００９】
すべての庫１Ａ〜１Ｃが設定温度Ｒに到達すると、コンプレッサ３の運転を停止する。最後まで開度制御されていた電子膨張弁の全閉操作が行われてからカウントされるコンプレッサ運転時間ｔｃが、所定時間ｔ（例えば６０秒）を経過した後にコンプレッサ３の運転を停止させるようにしている（ステップＳ７、Ｓ８）。
【００１０】
これにより、各蒸発器２Ａ〜２Ｃ内の残留冷媒を除去することができ、コンプレッサ３の再起動時に冷媒の過熱度の応答性が向上して冷却効率を高めることができるとともに、コンプレッサ３の負担を低減して電力の省エネルギ化を図ることができる。
【特許文献１】特開２００１−１６５５４７号公報
【発明の開示】
【発明が解決しようとする課題】
【００１１】
しかしながら、上記従来の構成では、左庫１Ａの蒸発器２Ａより中庫１Ｂの蒸発器２Ｂへの冷媒流量を少なくなるように設計し、左庫１Ａと中庫１Ｂを冷却設定、右庫１Ｃを加温設定した場合、コンプレッサ３（圧縮機）停止後、左庫１Ａの電子膨張弁１５Ａと中庫１Ｂの電子膨張弁１５Ｂを開いている。
【００１２】
コンプレッサ３停止中に冷却庫内の電子膨張弁１５Ａと電子膨張弁１５Ｂを開くと、蒸発器２Ａと蒸発器２Ｂへ冷媒が流入し、コンプレッサ３が停止しているので、蒸発器２Ａと蒸発器２Ｂの圧力を冷媒が蒸発可能な圧力に維持できず、流入した全ての冷媒が蒸発できずに蒸発器２Ａと蒸発器２Ｂに溜まる。蒸発器２Ａと蒸発器２Ｂに溜まる冷媒量は、冷媒流量が少ない庫内の蒸発器２Ｂよりも冷媒流量が多い庫内の蒸発器２Ａの方が多くなる。
【００１３】
そして、次回コンプレッサ３起動後、冷媒流量が少ない庫内の蒸発器２Ｂの冷媒流量が、冷媒流量が多い庫内の蒸発器２Ａに溜まっている分だけ少なくなる。
【００１４】
この結果、本来冷媒流量が少ない庫内の蒸発器２Ｂの冷媒流量がさらに減少することで、この庫内の冷却時間が長くなりコンプレッサ３の運転率が増加するだけでなく、電子膨張弁１５Ｂの動作時間が冷却システムの動作状態に適した時間になっていないといった問題があった。
【００１５】
本発明は、上記従来の課題を解決するもので、圧縮機停止中、冷媒流量の多い庫内の蒸発器へ冷媒を流量させず、冷媒流量が少ない庫内の蒸発器への冷媒流量を冷媒流量の多い庫内の蒸発器に溜まっていた分だけ増加させて、冷却時間を短縮し圧縮機の運転率を低減するための電磁弁動作において、冷媒流量の少ない庫内の電磁弁動作時間を外気温度・冷却ユニットの高圧と低圧の温度または圧力に従い決定し、電磁弁の通電率を低減することを目的とする。
【課題を解決するための手段】
【００１６】
上記従来の課題を解決するために、本発明の自動販売機の電磁弁制御装置は、圧縮機停止中、冷媒流量が少ない庫内の電磁弁を動作させる時間を設定または補正するための電磁弁動作時間設定補正手段を備え、外気温度、冷却ユニットの高圧部と低圧部の温度または圧力に従い電磁弁の動作時間を設定または補正するものである。
【００１７】
これによって、圧縮機停止中、冷媒流量の多い庫内の蒸発器へ冷媒を流量させず、冷媒流量が少ない庫内の蒸発器への冷媒流量を冷媒流量の多い庫内の蒸発器に溜まっていた分だけ増加させて、冷却時間を短縮し圧縮機の運転率を低減するための電磁弁動作において、冷媒流量の少ない庫内の電磁弁動作時間を外気温度・冷却ユニットの動作状態に適した時間に決定することができる。
【発明の効果】
【００１８】
本発明の自動販売機の電磁弁制御装置は、圧縮機停止中、冷媒流量の多い庫内の蒸発器へ冷媒を流量させず、冷媒流量が少ない庫内の蒸発器への冷媒流量を冷媒流量の多い庫内の蒸発器に溜まっていた分だけ増加させて、冷却時間を短縮し圧縮機の運転率を低減するための電磁弁動作において、冷媒流量の少ない庫内の電磁弁動作時間を外気温度・冷却ユニットの高圧と低圧の温度や圧力に従い決定し、電磁弁の通電率を低減することができる。
【発明を実施するための最良の形態】
【００１９】
請求項１に記載の発明は、電磁弁と蒸発器と圧縮機と凝縮器とを含む冷却ユニットを備えた自動販売機において、前記圧縮機停止中に冷媒流量が少ない側の庫内の前記電磁弁を動作させる時間を設定または補正するための電磁弁動作時間設定補正手段を備え、前記電磁弁動作時間設定補正手段は、外気温度、前記冷却ユニットの高圧部と低圧部の温度または圧力に従い前記電磁弁の動作時間を設定または補正するものであり、前記圧縮機停止中、冷媒流量の多い庫内の前記蒸発器へ冷媒を流量させず、冷媒流量が少ない庫内の前記蒸発器への冷媒流量を冷媒流量の多い庫内の前記蒸発器に溜まっていた分だけ増加させて、冷却時間を短縮し前記圧縮機の運転率を低減するために、冷媒流量の少ない庫内の前記電磁弁動作時間を外気温度・冷却ユニットの高圧と低圧の温度や圧力に従い決定することで適切に前記電磁弁の通電率を低減することができる。
【００２０】
請求項２に記載の発明は、請求項１に記載の発明において、前記電磁弁動作時間設定補正手段を電磁弁動作時間設定手段とし、外気温度、前記冷却ユニットの高圧部と低圧部の温度または高圧部と低圧部の圧力に従い前記電磁弁の動作時間を設定するものであり、前記圧縮機停止中、冷媒流量の多い庫内の前記蒸発器へ冷媒を流量させず、冷媒流量が少ない庫内の前記蒸発器への冷媒流量を冷媒流量の多い庫内の前記蒸発器に溜まっていた分だけ増加させて、冷却時間を短縮し前記圧縮機の運転率を低減するために、冷媒流量の少ない庫内の前記電磁弁動作時間を外気温度・冷却ユニットの高圧と低圧の温度や圧力に従い決定することで適切に前記電磁弁の通電率を低減することができる。
【００２１】
請求項３に記載の発明は、請求項１に記載の発明において、前記電磁弁動作時間設定補正手段を電磁弁動作時間補正手段とし、前記圧縮機停止中、前記電磁弁が所定の時間動作した直後の前記冷却ユニットの高圧部と低圧部の温度または圧力を読取り、これらの温度または圧力が所定の値と異なる場合、前記電磁弁の動作時間を補正するものであり、前記圧縮機停止中、冷媒流量の多い庫内の前記蒸発器へ冷媒を流量させず、冷媒流量が少ない庫内の前記蒸発器への冷媒流量を冷媒流量の多い庫内の前記蒸発器に溜まっていた分だけ増加させて、冷却時間を短縮し前記圧縮機の運転率を低減するために、冷媒流量の少ない庫内の前記電磁弁動作時間を外気温度・冷却ユニットの高圧と低圧の温度や圧力に従い決定し、前記電磁弁の通電率を低減することができるだけでなく、前記電磁弁の動作時間を補正することで、万が一、あらかじめ決定した前記電磁弁の動作時間で高低圧力が十分にバランスしない場合においても圧力バランスをとることができ、未然に圧縮機の起動不良を防止することができる。
【００２２】
請求項４に記載の発明は、請求項２に記載の発明において、前記電磁弁動作時間設定手段を、外気温度検知部と外気温特性記憶部と外気温特性決定部とを備えた外気温特性設定手段とし、前記外気温特性設定手段は、前記外気温度検知部が検知した外気温度に対応する前記電磁弁の動作時間を、前記外気温度特性決定部が前記外気温特性記憶部より読取り決定するものであり、前記圧縮機停止中、冷媒流量の多い庫内の前記蒸発器へ冷媒を流量させず、冷媒流量が少ない庫内の前記蒸発器への冷媒流量を冷媒流量の多い庫内の前記蒸発器に溜まっていた分だけ増加させて、冷却時間を短縮し前記圧縮機の運転率を低減するために、冷媒流量の少ない庫内の前記電磁弁動作時間を外気温度に従い決定することで適切に前記電磁弁の通電率を低減することができる。
【００２３】
請求項５に記載の発明は、請求項２に記載の発明において、前記電磁弁動作時間設定手段を、高低圧部温度検知部と高低圧部温度特性記憶部と高低圧部特性決定部とを備えた高低圧部温度特性設定手段とし、前記高低圧部温度特性設定手段は、前記高低圧部温度検知部が検知した前記圧縮機が停止した直後の前記冷却ユニットの高圧部と低圧部の温度に対応する前記電磁弁の動作時間を、前記高低圧部特性決定部が前記高低圧部温度特性記憶部より読取り決定するものであり、冷却システムの高圧部と低圧部の温度状態が変化する場合においても適切に前記電磁弁の通電率を低減することができる。
【００２４】
請求項６に記載の発明は、請求項２に記載の発明において、前記電磁弁動作時間設定手段を、高低圧検知部と高低圧特性記憶部と高低圧特性決定部とを備えた高低圧特性設定手段とし、前記高低圧特性設定手段は、前記高低圧検知部が検知した前記圧縮機が停止した直後の前記冷却ユニットの高圧部と低圧部の圧力に対応する前記電磁弁の動作時間を、前記高低圧特性決定部が前記高低圧特性記憶部より読取り決定するものであり、冷却システムの高圧部と低圧部の温度状態が変化する場合においても適切に前記電磁弁の通電率を低減することができるとともに、直接圧力を検知するため温度よりも精度を上げることができる。
【００２５】
請求項７に記載の発明は、請求項３に記載の発明において、前記電磁弁動作時間補正手段を、前記高低圧部温度検知部と前記高低圧部温度特性記憶部と高低圧部温度特性補正部とを備えた高低部温度特性補正手段とし、前記高低圧部温度特性補正手段は、前記圧縮機停止中、前記電磁弁が所定の時間動作した直後の前記冷却ユニットの高圧部と低圧部の温度を前記高低圧部温度検知部が読取り、これらの温度が所定の値と異なる場合、前記高低圧部温度特性補正部が前記電磁弁の動作時間を補正するものであり、前記圧縮機停止中、冷媒流量の多い庫内の前記蒸発器へ冷媒を流量させず、冷媒流量が少ない庫内の前記蒸発器への冷媒流量を冷媒流量の多い庫内の前記蒸発器に溜まっていた分だけ増加させて、冷却時間を短縮し前記圧縮機の運転率を低減するために、冷媒流量の少ない庫内の前記電磁弁動作時間を冷却ユニットの高圧と低圧の温度に従い決定し、前記電磁弁の通電率を低減することができるだけでなく、前記電磁弁の動作時間を補正することで、万が一、あらかじめ決定した前記電磁弁の動作時間で高低圧力が十分にバランスしない場合においても圧力バランスをとることができ、未然に圧縮機の起動不良を防止することができる。
【００２６】
請求項８に記載の発明は、請求項３に記載の発明において、前記電磁弁動作時間補正手段を、前記高低圧検知部と前記高低圧特性記憶部と高低圧特性補正部とを備えた高低圧特性補正手段とし、前記高低圧特性補正手段は、前記圧縮機停止中、前記電磁弁が所定の時間動作した直後の前記冷却ユニットの高圧部と低圧部の圧力を前記高低圧検知部が読取り、これらの圧力が所定の値と異なる場合、前記高低圧特性補正部が前記電磁弁の動作時間を補正するものであり、前記圧縮機停止中、冷媒流量の多い庫内の前記蒸発器へ冷媒を流量させず、冷媒流量が少ない庫内の前記蒸発器への冷媒流量を冷媒流量の多い庫内の前記蒸発器に溜まっていた分だけ増加させて、冷却時間を短縮し前記圧縮機の運転率を低減するために、冷媒流量の少ない庫内の前記電磁弁動作時間を冷却ユニットの高圧と低圧の温度に従い決定し、前記電磁弁の通電率を低減することができるだけでなく、前記電磁弁の動作時間を補正することで、万が一、あらかじめ決定した前記電磁弁の動作時間で高低圧力が十分にバランスしない場合においても圧力バランスをとることができ、未然に圧縮機の起動不良を防止することができるとともに、直接圧力を検知するため、さらに補正の精度を上げることができる。
【００２７】
以下、本発明の実施の形態について、図面を参照しながら説明するが、従来例または先に説明した実施の形態と同一構成については同一符号を付して、その詳細な説明は省略する。なお、この実施の形態によってこの発明が限定されるものではない。
【００２８】
（実施の形態１）
図１は、本発明の実施の形態１および実施の形態２における自動販売機の冷却システム構成図である。図２は、本発明の実施の形態１における自動販売機の電磁弁制御装置の構成図である。図３は、本発明の実施の形態１における自動販売機の電磁弁制御装置の動作を示すフローチャートである。
【００２９】
図１において、本発明の自動販売機の冷却システムは、庫内は庫内１（左庫内）、庫内２（中庫内）、そして庫内３（右庫内）に区画されている。本実施の形態では、庫内１は年間を通してコールドドリンクを販売する庫として、庫内２及び庫内３は季節に応じてコールドドリンク又はホットドリンクを販売する庫として、それぞれ構成されている。すなわち、庫内１には冷却器としての蒸発器１０１ａのみが配置されるのに対して、庫内２及び庫内３にはそれぞれ蒸発器１０１ｂ、蒸発器１０１ｃ及び加熱器としてのヒータ１０５ａ、ヒータ１０５ｂが配置される。庫内１・庫内２・庫内３に配置される蒸発器１０１ａ・蒸発器１０１ｂ・蒸発器１０１ｃはそれぞれ庫外に配置される圧縮機１０３及び凝縮器１０４に並列に接続され、電磁弁１０２ａ・電磁弁１０２ｂ・電磁弁１０２ｃはそれぞれ蒸発器１０１ａ・蒸発器１０１ｂ・蒸発器１０１ｃに接続され、庫内１・庫内２・庫内３を冷却し、庫内２・庫内３を加温する構成となっている。
【００３０】
図２において、主制御部１００は、電磁弁１０２ａ・電磁弁１０２ｂ・電磁弁１０２ｃと、圧縮機１０３と、ヒータ１０５ａ・ヒータ１０５ｂと、電磁弁動作時間設定手段１１１（電磁弁動作時間設定補正手段）により構成されている。さらに、電磁弁動作時間設定手段１１１は外気温特性設定手段１１２と高低圧部温度特性設定手段１１３と高低圧特性設定手段１１４により構成せれている。
【００３１】
ここで、外気温特性設定手段１１２（電磁弁動作時間設定手段１１１）の構成について説明する。外気温特性設定手段１１２は、自動販売機１１周囲の外気温度を検知するための外気温度検知部１１２ａ（例えば外気温度検知サーミスタ）と、圧縮機１０３停止中に冷媒流量の少ない庫内２の電磁弁１０２ｂを動作させる時間を外気温度別に記憶するための外気温特性記憶部１１２ｂと、外気温度検知部１１２ａが検知した温度から圧縮機１０３停止中に冷媒流量の少ない庫内２の電磁弁１０２ｂを動作させる時間を決定するための外気温特性決定部１１２ｃとから構成されている。
【００３２】
次に、圧縮機１０３停止中に冷媒流量の少ない庫内２の電磁弁１０２ｂを動作させる時間を外気温度別に決定する過程を説明する。値の決込みは自動販売機１１の実機評価から決定する。外気温度が５℃で、冷温設定がＣ（庫内１）Ｃ（庫内２）Ｈ（庫内３）の場合、圧縮機１０３が停止した直後から高低圧部の圧力差が零になるまでの時間を計測する。この時間を圧縮機１０３停止中に冷媒流量の少ない庫内２の電磁弁１０２ｂを動作させる時間とし、各外気温度（例えば０℃〜３５℃で１℃刻み）に対してこの時間を決定する。尚、この高低圧部の圧力差は零に限定されるものではなく、圧縮機１０３が起動することができる圧力差までを適用する。また、各外気温度も０℃〜３５℃で１℃刻みに限定されるものではない。
【００３３】
以上のように庫内１と庫内２が冷却・庫内３が加温設定された自動販売機１１の電磁弁制御装置について、以下その動作、作用を説明する。
【００３４】
図３において、まず、外気温度検知部１１２ａが自動販売機１１周囲の外気温度を検知する（ステップ１）。外気温特性決定部１１２ｃが、この外気温度に対応する圧縮機１０３停止中に冷媒流量の少ない庫内２の電磁弁１０２ｂを動作させる時間を外気温特性記憶部１１２ｂから読取り決定する（ステップ２）。外気温度が変わればステップ１とステップ２の動作を繰り返す（ステップ３）。
【００３５】
以上のように、本実施の形態においては、外気温特性設定手段１１２（電磁弁動作時間設定手段１１１）を、外気温度検知部１１２ａと外気温特性記憶部１１２ｂと外気温特性決定部１１２ｃとし、外気温特性設定手段１１２は、外気温度検知部１１２ａが検知した外気温度に対応する電磁弁１０２ｂの動作時間を、外気温度特性決定部１１２ｃが外気温特性記憶部１１２ｂより読取り決定することにより、圧縮機１０３停止中、冷媒流量の多い庫内の蒸発器１０１ａへ冷媒を流量させず、冷媒流量が少ない庫内の蒸発器１０１ｂへの冷媒流量を冷媒流量の多い庫内の蒸発器１０１ａに溜まっていた分だけ増加させて、冷却時間を短縮し圧縮機１０３の運転率を低減するための電磁弁動作において、冷媒流量の少ない庫内の電磁弁動作時間を外気温度に従い決定し、電磁弁１０２ｂの通電率を低減することができる。
【００３６】
また、本実施の形態では、電磁弁動作時間設定手段１１１（電磁弁動作時間設定補正手段）を高低圧部温度特性設定手段１１３とすることもできる。
【００３７】
次に、高低圧部温度特性設定手段１１３の構成・動作・作用・効果を説明する。
【００３８】
高低圧部温度特性設定手段１１３の構成について説明する。高低圧部温度特性設定手段１１３は、自動販売機１１の冷却システムの高圧部と低圧部の温度を検知するための高低圧部温度検知部１１３ａ（高圧部：凝縮温度検知サーミスタ、低圧部：サクション温度検知サーミスタ）と、圧縮機１０３停止中に冷媒流量の少ない庫内２の電磁弁１０２ｂを動作させる時間を高圧部と低圧部との温度別に記憶するための高低圧部温度特性記憶部１１３ｂと、高低圧部温度検知部１１３ａが検知した高圧部と低圧部との温度から圧縮機１０３停止中に冷媒流量の少ない庫内２の電磁弁１０２ｂを動作させる時間を決定するための高低圧部温度特性決定部１１３ｃとから構成されている。
【００３９】
次に、圧縮機１０３停止中に冷媒流量の少ない庫内２の電磁弁１０２ｂを動作させる時間を高圧部と低圧部との温度差別に決定する過程を説明する。値の決込みは自動販売機１１の実機評価から決定する。外気温度が５℃で、冷温設定がＣ（庫内１）Ｃ（庫内２）Ｈ（庫内３）の場合、圧縮機１０３が停止した直後の高圧部と低圧部との温度を読取る。そして、圧縮機１０３が停止した直後から高低圧部の圧力差が零になるまでの時間を計測する。この時間を圧縮機１０３停止中に冷媒流量の少ない庫内２の電磁弁１０２ｂを動作させる時間とし、圧縮機停止直後の高圧部と低圧部の温度毎にこの時間を決定する。
【００４０】
尚、この高低圧部の圧力差は零に限定されるものではなく、圧縮機１０３が起動することができる圧力差までを適用する。
【００４１】
尚、圧縮機停止直後の高圧部と低圧部の温度は、圧縮機停止直後に限定されるものではない。また、高低圧部温度検知部１１３ａの読取り箇所も、高圧部が凝縮器出口温度、低圧部がサクション温度の１点に限定されるものではない。
【００４２】
また、動作の説明は外気温特性設定手段１１２と同様のため説明を省略する。
【００４３】
以上のように、本実施の形態においては、高低圧部温度特性設定手段１１３（電磁弁動作時間設定手段１１１）を、高低圧部温度検知部１１３ａと、高低圧部温度特性記憶部１１３ｂと、高低圧部温度特性決定部１１３ｃとし、高低圧部温度検知部１１３ａが検知した圧縮機１０３停止直後の冷却ユニットの高圧部と低圧部の温度に対応する電磁弁１０２ｂの動作時間を、高低圧部特性決定部１１３ｃが高低圧部温度特性記憶部１１３ｂより読取り決定することにより、冷却システムの高圧部と低圧部の温度状態が変化する場合においても同様の効果が得られる。
【００４４】
また、本実施の形態では、電磁弁動作時間設定手段１１１（電磁弁動作時間設定補正手段）を高低圧特性設定手段１１４とすることもできる。
【００４５】
下記に高低圧特性設定手段１１４の構成・動作・作用・効果を説明する。
【００４６】
高低圧特性設定手段１１４の構成について説明する。高低圧特性設定手段１１４は、自動販売機１１の冷却システムの高圧部と低圧部の圧力を検知するための高低圧検知部１１４ａ（圧力計）と、圧縮機１０３停止中に冷媒流量の少ない庫内２の電磁弁１０２ｂを動作させる時間を高圧部と低圧部との圧力別に記憶するための高低圧特性記憶部１１４ｂと、高低圧検知部１１４ａが検知した高圧部と低圧部との圧力から圧縮機１０３停止中に冷媒流量の少ない庫内２の電磁弁１０２ｂを動作させる時間を決定するための高低圧特性決定部１１４ｃとから構成されている。
【００４７】
次に、圧縮機１０３停止中に冷媒流量の少ない庫内２の電磁弁１０２ｂを動作させる時間を高圧部と低圧部との圧力別に決定する過程の説明は、高低圧部温度特性設定手段１１３と同様のため説明を省略する。
【００４８】
また、動作の説明は外気温特性設定手段１１２と同様のため説明を省略する。
【００４９】
以上のように、本実施の形態では、高低圧特性設定手段１１４（電磁弁動作時間設定手段１１１）を高低圧検知部１１４ａと高低圧特性記憶部１１４ｂと高低圧特性決定部１１４ｃとし、高低圧検知部１１４ａが検知した圧縮機停止直後の冷却ユニットの高圧部と低圧部の圧力に対応する電磁弁１０２ｂの動作時間を、高低圧特性決定部１１４ｃが高低圧特性記憶部１１４ｂより読取り決定することにより、直接圧力を検知するため、温度よりも精度を上げることができる。
【００５０】
尚、外気温度が変動する場合においても同様の効果が得られる。
【００５１】
尚、冷温設定は、庫内１と庫内２が冷却・庫内３が加温設定に限定されるものでない。
【００５２】
（実施の形態２）
図４は、本発明の実施の形態２における自動販売機１１の電磁弁制御装置の構成図である。
【００５３】
図５は、本発明の実施の形態２における自動販売機１１の電磁弁制御装置の動作を示すフローチャートである。
【００５４】
図４において、主制御部２００は、電磁弁１０２ａ・電磁弁１０２ｂ・電磁弁１０２ｃと、圧縮機１０３と、ヒータ１０５ａ・ヒータ１０５ｂと、電磁弁動作時間補正手段２１１（電磁弁動作時間設定補正手段）により構成されている。さらに、電磁弁動作時間補正手段２１１は高低圧部温度特性補正手段２１３と高低圧特性補正手段２１４により構成されている。
【００５５】
ここで、高低圧部温度特性補正手段２１３の構成について説明する。高低圧部温度特性補正手段２１３は、高低圧部温度検知部１１３ａと高低圧部温度特性記憶部１１３ｂと高低圧部温度特性決定部１１３ｃで決定した電磁弁１０２ｂ動作時間を補正するための高低圧部温度特性補正部２１３ｃとから構成されている。
【００５６】
以上のように庫内１と庫内２が冷却設定、庫内３が加温設定された自動販売機１１の電磁弁制御装置について、以下その動作、作用を説明する。
【００５７】
図５より、圧縮機１０３が停止し（ステップ１１）、冷媒流量の少ない庫内２の電磁弁１０２ｂが所定の時間（例えば５ｍｉｎ）動作した後（ステップ１２）、高低圧部温度を検知する（ステップ１３）。そして、高圧部と低圧部との温度差を読取り（ステップ１４）、これらの温度が所定温度と異なる（例えば１℃）場合（ステップ１５）、圧縮機１０３停止中の電磁弁１０２ｂ動作時間を１ｍｉｎ延長する（ステップ１６）。
【００５８】
尚、所定温度は１℃に限定されるものではない。
【００５９】
また、圧縮機１０３停止中の電磁弁１０２ｂの動作延長時間も１ｍｉｎに限定されるものではない。
【００６０】
以上のように、本実施の形態においては、電磁弁動作時間補正手段２１１（電磁弁動作時間設定補正手段）を高低圧部温度検知部１１３ａと高低圧部温度特性記憶部１１３ｂと高低圧部温度特性補正部２１３ｃとを備えた高低圧部温度特性補正手段２１３とし、高低圧部温度特性補正手段２１１は、冷却加温設定された状態で圧縮機１０３停止中、電磁弁１０２ｂが所定の時間動作した直後の冷却ユニットの高圧部と低圧部の温度を高低圧部温度検知部１１３ａが読取り、これらの温度が所定の値と異なる場合、高低圧部温度特性補正部２１３ｃが電磁弁１０２ｂの動作時間を補正することにより、圧縮機停１０３止中、冷媒流量の多い庫内の蒸発器１０１ａへ冷媒を流量させず、冷媒流量が少ない庫内の蒸発器１０１ｂへの冷媒流量を冷媒流量の多い庫内の蒸発器１０１ａに溜まっていた分だけ増加させて、冷却時間を短縮し圧縮機１０３の運転率を低減するための電磁弁動作において、冷媒流量の少ない庫内の電磁弁動作時間を冷却ユニットの高圧と低圧の温度に従い決定し、電磁弁１０２ｂの通電率を低減することができるだけでなく、電磁弁１０２ｂの動作時間を補正することで、万が一、あらかじめ決定した電磁弁１０２ｂの動作時間で高低圧力が十分にバランスしない場合においても圧力バランスをとることができ、未然に圧縮機１０３の起動不良を防止することができる。
【００６１】
また、本実施の形態では、電磁弁動作時間補正手段２１１（電磁弁動作時間設定補正手段）を高低圧特性補正手段２１４とすることもできる。
【００６２】
次に、高低圧特性補正手段２１４の構成・動作・作用・効果を説明する。
【００６３】
高低圧特性補正手段２１４の構成について説明する。高低圧特性補正手段２１４は、高低圧検知部１１４ａと高低圧特性記憶部１１４ｂと高低圧特性決定部１１４ｃで決定した電磁弁１０２ｂ動作時間を補正するための高低圧特性補正部２１４ｃとから構成されている。
【００６４】
高低圧特性補正手段２１４の動作は、高低圧部温度特性補正手段２１３と同様のため説明を省略する。
【００６５】
以上のように、本実施の形態においては、高低圧特性補正手段２１４（電磁弁動作時間補正手段２１１）を高低圧検知部１１４ａと高低圧特性記憶部１１４ｂと高低圧特性補正部２１４ｃとし、高低圧特性補正手段２１４は、冷却加温設定された状態で圧縮機１０３停止中、電磁弁１０２ｂが所定の時間動作した直後の冷却ユニットの高圧部と低圧部の圧力を高低圧検知部１１４ａが読取り、これらの圧力が所定の値より大きい場合、高低圧特性補正部２１４が電磁弁１０２ｂの動作時間を直接圧力を検知して補正することにより、さらに補正の精度を上げることができる。
【００６６】
尚、外気温度が変動する場合においても同様の効果が得られる。
【００６７】
尚、冷温設定は、庫内１と庫内２が冷却・庫内３が加温設定に限定されるものでない。
【産業上の利用可能性】
【００６８】
以上のように、本発明にかかる自動販売機の電磁弁制御装置は、冷却時間を短縮し圧縮機や電磁弁の通電率を低減することが効能となるので、電磁弁を用いた製品等の用途にも適用できる。
【図面の簡単な説明】
【００６９】
【図１】本発明の実施の形態１および実施の形態２における自動販売機の冷却システム構成図
【図２】本発明の実施の形態１における自動販売機の電磁弁制御装置の構成図
【図３】本発明の実施の形態１における自動販売機の電磁弁制御装置の動作を示すフローチャート
【図４】本発明の実施の形態２における自動販売機の電磁弁制御装置の構成図
【図５】本発明の実施の形態２における自動販売機の電磁弁制御装置の動作を示すフローチャート
【図６】従来の自動販売機の電磁弁制御装置を示す図
【図７】従来の自動販売機の電磁弁制御装置の動作を示すフローチャート
【符号の説明】
【００７０】
１    左庫内（庫内）
２    中庫内（庫内）
３    右庫内（庫内）
１１  自動販売機
１００，２００  主制御部
１０１ａ，１０１ｂ，１０１ｃ  蒸発器
１０２ａ，１０２ｂ，１０２ｃ  電磁弁
１０３  圧縮機
１０４  凝縮器
１１１  電磁弁動作時間設定手段
１１２  外気温特性設定手段
１１２ａ  外気温度検知部
１１２ｂ  外気温特性記憶部
１１２ｃ  外気温特性決定部
１１３  高低圧部温度特性設定手段
１１３ａ  高低圧部温度検知部
１１３ｂ  高低圧部温度特性記憶部
１１３ｃ  高低圧部特性決定部
１１４  高低圧特性設定手段
１１４ａ  高低圧検知部
１１４ｂ  高低圧特性記憶部
１１４ｃ  高低圧特性決定部
２１１  電磁弁動作時間補正手段
２１３  高低圧部温度特性補正手段
２１３ｃ  高低圧部温度特性補正部
２１４  高低圧特性補正手段
２１４ｃ  高低圧特性補正部
【図１】
2010060144.tif 000003
【図２】
2010060144.tif 000004
【図３】
2010060144.tif 000005
【図４】
2010060144.tif 000006
【図５】
2010060144.tif 000007
【図６】
2010060144.tif 000008
【図７】
2010060144.tif 000009